(57)【要約】【課題】食品副産物を有効利用し、緑化効果に優れた緑化工法を提供する。【解決手段】海藻から寒天成分を抽出した海藻残渣物を混合した植物育成基盤材１を形成し、この植物育成基盤材１を法面１１に層状に設けて植物育成基盤１２を形成する。寒天製造において、寒天成分が抽出され、廃棄処分となる海藻残渣物を緑化に利用することができ、しかも、前記海藻残渣物に含まれる栄養素が植物の育成を促し、また、海藻残渣物により植物育成基盤に保水性を与えることができる。【選択図】      図２
2004254570.tif 000002
【特許請求の範囲】
【請求項１】
緑化施工面に植物の育成に適した植物育成基盤を設ける緑化工法において、海藻から寒天成分を抽出した海藻残渣物を混合した植物育成基盤材を形成し、この植物育成基盤材を前記緑化施工面に層状に設けることを特徴とする緑化工法。
【請求項２】
前記植物育成基盤材に木質チップを混合したことを特徴とする請求項１記載の緑化工法。
【請求項３】
前記植物育成基盤材に汚泥発酵肥料と有効微生物とを混合したことを特徴とする請求項２記載の緑化工法。
【請求項４】
緑化施工面に層状に設けて植物の育成に適した植物育成基盤を形成する植物育成基盤材において、海藻から寒天成分を抽出した海藻残渣物を混合したことを特徴とする植物育成基盤材。
【発明の詳細な説明】
【０００１】
【発明が属する技術分野】
本発明は緑化工法と植物育成基盤材に関する。
【０００２】
【従来の技術】
従来、この種の緑化工法に用いる緑化基盤材として、用土、肥料等を主材とし、通常、肥料として有機質配合肥料、緩効性窒素入り肥料、その他遅効性肥料等が用いられ、土壌改良材、微生物、植生成長ホルモン、あるいは堆肥類を必要に応じ添加し、用土としては現地発生土を使用し、不適な場合は他から搬入し、用土は基準の粒度分布を満足し、有害な雑物や有機不純物を含まないものが用いられる（例えば特許文献１）。また、基盤材として、ピースモス、バーク堆肥などの有機質資材を用い、有機質資材以外の基盤材料（土壌系、砂質土系、その他リサイクル資材等）を用いる場合がある（例えば特許文献２）。
【０００３】
一方、工事に伴い発生する抜根材をチップ化し、このチップ化したチップ材を大型チップ材と根圏土壌を含む小型チップ材とに分別し、前記大型チップ材を乾燥した後炭化処理を行い、この炭化処理した炭化物を前記法面の造成工事により形成した法面基盤層の上に炭化層として所定の層厚に形成し、前記根圏土壌を含む小型チップ材を前記炭化層の上に植物の育成に適した土壌に形成した植物育成基盤材料に混合して植物育成基盤層として所定の層厚に形成する法面緑化工法がある（例えば特許文献３）。また、現地表土、団粒化剤、水、木材チップを混合して、この混合物を吐出口に開閉手段を備えたホッパーに投入し、このホッパーを自走車に装備のクレーンに吊り下げて、ホッパー吐出口を通して混合物を緑化工の施工法面に撒き出す法面の緑化工法がある（例えば特許文献４）。
【０００４】
さらに、造成法面にチップ受けを設置する工程と、伐採材チップを繊維状チップに破砕する工程と、破砕した繊維状チップを堆積する工程と、前記繊維状チップを造成法面に吹き付けて繊維状チップ層を形成する工程と、繊維状チップ層の上面または下面の少なくとも１面に種子・肥料層を吹き付ける工程とを備える伐採材による法面の保護及び緑化工法（例えば特許文献５）があり、長さ１５ｃｍ、直径１ｃｍ以内の繊維状に破砕した伐採材チップを３ヶ月以上堆積し、樹木が持つ緑化有害物（ヒノキチオールに代表される抗菌成分等）を取り除いた繊維状チップ層３を、厚さ３〜５ｃｍ程度で法面１にまで敷き均すか又はエアにて吹き付ける。
【０００５】
【特許文献１】
特開平６−２３７６０６号公報（段落００１２段）
【特許文献２】
特開２００１−１６１１１６号公報（段落００１６段）
【特許文献３】
特開平１１−１９６６６４号公報（段落０００９段）
【特許文献４】
特開２００１−９８７７５号（段落００１１段）
【特許文献５】
特開２００２−２２７２１０号（段落０００９段）
【０００６】
【発明が解決しようとする課題】
上記各緑化工法においては、植物の育成を図るため、基盤材に各種肥料や微生物などを混合して使用しており、バーク堆肥やピートモスなどの人工の有機客土を主材に用いると原料コストが高くなるという問題がある。このため原料コストの削減が可能で緑化効果に優れた基盤材の開発が望まれている。
【０００７】
ところで、上記特許文献３では基盤材に小型チップを用い、特許文献４では基盤材に木材チップを用いているが、いずれも乾燥や堆肥化などの処理をせずにその木材チップをそのまま使用すると、特許文献５にあるように緑化有害物などの影響を受けて緑化が進まず、緑化に長期間を要するため、緑化基盤材に未処理の木材チップを多量に用いることができないという問題がある。
【０００８】
そこで、本発明は、食品副産物を有効利用して基盤材の原料コストの削減を図り、緑化効果に優れた緑化工法と植物育成基盤材を提供することを目的とする。
【０００９】
【課題を解決するための手段】
請求項１の緑化工法は、緑化施工面に植物の育成に適した植物育成基盤を設ける緑化工法において、海藻から寒天成分を抽出した海藻残渣物を混合した植物育成基盤材を形成し、この植物育成基盤材を前記緑化施工面に層状に設ける工法である。
【００１０】
この請求項１の構成によれば、寒天製造において、寒天成分が抽出され、廃棄処分となる海藻残渣物を緑化に利用することができ、しかも、前記海藻残渣物に含まれる栄養素が植物の育成を促し、また、海藻残渣物により植物育成基盤に保水性を与えることができる。このように食品副産物を有効利用して基盤材の原料コストの削減と食品副産物のリサイクル化が可能となる。
【００１１】
また、請求項２の緑化工法は、前記植物育成基盤材に木質チップを混合した工法である。
【００１２】
この請求項２の構成によれば、木質チップ自体は栄養価が低いから、海藻残渣物に含まれる栄養素を木質チップに補給することにより、木質チップの堆肥化が可能となり、緑化に適した植物育成基盤材が得られる。
【００１３】
さらに、請求項３の緑化工法は、前記植物育成基盤材に汚泥発酵肥料と有効微生物とを混合した工法である。
【００１４】
この請求項３の構成によれば、海藻残渣物の栄養素と汚泥発酵肥料と有効微生物との組み合わせにより、生木あるいは生木に近い状態の木質チップであっても、該木質チップを多量に含む混合物を植物育成基盤とすることができ、施工が簡易にして緑化効果に優れたものが得られる。
【００１５】
請求項４の植物育成基盤材は、緑化施工面に層状に設けて植物の育成に適した植物育成基盤を形成する植物育成基盤材において、海藻から寒天成分を抽出した海藻残渣物を混合したものである。
【００１６】
この請求項４の構成によれば、寒天製造において、寒天成分が抽出され、廃棄処分となる海藻残渣物を利用することにより、基盤材の材料費の削減を図り、しかも、海藻残渣物に含まれる栄養素が植物の育成を促すとともに、混合した海藻残渣物により保水性を備えた植物育成基盤材が得られる。
【００１７】
【発明の実施形態】
図１〜図３は本発明の第１実施形態を示し、同図に示すように、本発明では、植物育成基盤材１に海藻残渣物を用い、この海藻残渣物は、寒天の製造時に発生する副産物であり、すなわち、寒天製造において、オゴノリ、天草、オバクサ等の紅藻類の海藻を寒天の原料とし、この原料を水洗いし、煮熟して熱水中に寒天成分を抽出し、これを濾過して残った海藻残渣物を用い、この海藻残渣物はミネラル分を含有するとともに、海藻残渣物が保水性を有するため、これを混合することにより基盤材１に保水性を付与することができる。
【００１８】
また、植物育成基盤材１に、建築土木工事などの現場で伐採した伐採材、間伐材、流木などの植物資材を植物育成用基盤の主材料として用い、法面の施工においては、該法面の造成により発生した伐採材などを植物資材として用いる。前記植物資材としては、伐採材、間伐材、流木、剪定材、末木枝条などが例示される。尚、伐採材には除根材（地中から抜いた根の部分）も含む。また、植物資材として建築物より発生する木質の廃材を用いることもできる。
【００１９】
本発明では、前記植物資材に乾燥処理や堆肥化処理を施すことなく、該植物資材を粉砕して木質チップを形成（チップ加工）する。そして、木質チップは、好ましくは、長さ１５０ミリ以下で直径が２５ミリ以下のものを用いる。
【００２０】
さらに、植物育成基盤材１には、汚泥発酵肥料と有効微生物とを混合する。前記汚泥発酵肥料は、下水などの汚泥を発酵させ、肥料化したものであり、下水道終末処理場の汚泥や、これに植物質又は動物質の原料を混合したものを微生物処理して得られる肥料を用いる。また、下水の汚泥以外に、し尿処理施設及び農業集落排水処理施設の汚泥や浄化層汚泥など各種の汚泥を発酵したものを用いることができる。
【００２１】
前記有効微生物は、前記木質チップの堆肥化に効果のある微生物が用いられ、例えば乳酸菌，酵母菌，放線菌，アゾトバクター，光合成細菌，ＥＭ菌やアガリエ菌などがある。また、これら有効微生物はいわゆるぼかし肥として供給することができ、ぼかし肥は遅効性肥料である。
【００２２】
そして、前記木質チップと前記海藻残渣物と前記汚泥発酵肥料と前記ぼかし肥とを混合して植物育成基盤材１を形成する。また、植物育成基盤材１に少量の結合材を混合することにより、緑化施工面たる法面１１に吹付けた植物育成基盤材１を該法面１１の斜面に接合する役目を果たす。また、植物育成基盤材１に種子を混合することができる。
【００２３】
法面１１を造成する場合は、土を削って形成する切土法面、盛土法面のいずれでも良く、造成現場で植物資材が発生する場合はこれを木質チップとして植物育成基盤材１に使用する。本発明では、植物育成基盤材１を法面１１に吹付けて植物育成基盤材１の層からなる植物育成基盤１２を形成するため、好ましくは、吹付け前の法面１１にラス金網や有機ネットなどの定着用網体１３とアンカーピンなどのアンカー部材１４を設置しておく。
【００２４】
２１はモルタルコンクリート吹付け機などの吹付け機であり、コンプレッサーなどの動力発生装置２２と吹付け装置本体２３とを備え、この吹付け装置本体２３にホース２４を接続し、そのホース２４の先端に吹付けノズル２５が設けられ、さらに、ミキシングホッパーなどの混合機２６を備え、この混合機２６により混合された混合物１は、コンベヤ２７により前記吹付け装置本体２３に供給され、ホース２４内を圧送されて吹付けノズル２５から法面１１に吹き付けられる。
【００２５】
次に、図１を用いて緑化工法の手順を説明すると、法面１１を造成する場合は、該造成に伴い、伐採などにより発生した植物資材を集積（Ｓ１）し、その植物資材を現場でチップ加工（Ｓ２）して木質チップを形成する。この木質チップに、海藻ミネラルを含む前記海藻残渣物と、前記汚泥発酵肥料と、前記有効微生物を含む前記ぼかし肥と、前記結合材と、前記種子とを混合（Ｓ３）し、得られた植物育成基盤材１を吹付け機２１により前記法面１１に吹き付け（Ｓ４）、植物育成基盤材１を層状に形成した植物育成基盤１２を形成する。尚、別の現場で発生した植物資材を、緑化を行う現場に搬入して木質チップに加工しても良いし、別の現場で発生した植物資材を木質チップに加工した後、緑化を行う現場に搬入しても良いし、工場で加工した木質チップを緑化を行う現場に搬入しても良い。
【００２６】
このようにして形成した法面緑化構造においては、植物資材の乾燥処理や堆肥化処理を行う必要がないため、現場で発生した植物資材をチップ化してそのまま使用することができ、このため生木あるいは生木の状態に近い木質チップに海藻ミネラルと汚泥発酵肥料を混合して堆肥化に必要な栄養価を付与することにより緑化に適したものとなり、また、極めて簡易な工法を用いるため、植物資材をチップ化する費用を合わせても従来工法と近いコストで施工を行うことができる。
この場合、現場発生の植物資材を用いることにより、置き場又は産業廃棄物処理が不要になるというコスト面のメリットもある。また、使用する海藻残渣物は、従来は寒天の製造過程で発生する副産物であるため、廃棄されており、このように寒天成分を抽出した後の海藻残渣物であっても、ミネラルなどの栄養素を多く含み、保水性、粘性を有するため、その栄養素により微生物の活動を活発化して木質チップの堆肥化を促進し、その保水性により斜面である法面１１での植物育成基盤１２の保水性を確保でき、その粘性により植物育成基盤１２の飛散流出を防止できる。また、ぼかし肥などにより供給した有効微生物は、自然農法又は自然農業などで活用されているものであるから、自然に適し、法面１１の植生活性化と安定を保つ役目をなす。そして、その植物育成基盤１２は、ぼかし肥の活用により自然農法又は自然農業の長所を取り入れ、現場発生の植物資材を用いれば、現場廃材などの発生を防止し、海藻残渣物を用いることにより食品廃棄物の有効利用が図られ、さらに、汚泥発酵肥料を用いることにより下水事業の廃棄物を活用したものとなり、本緑化工法は、リサイクルシステムとして極めて高い効果を得ることができる。
【００２７】
また、植物育成基盤材１の他の特徴構成として、植物育成基盤材１には現場発生土や客土などの土を混合せずに、主材として木質チップを用いる点である。もちろん、除根材などに付着した分の土は植物育成基盤材１に混合されるが、別途に土を混合する場合も木質チップの容量に比べて極めて少量である。植物育成基盤材１に対して、木質チップを木質チップを５〜９５重量％使用する。
【００２８】
実験例
本発明による配合１では、伐採材などの生木をチップ化した木質チップを１ｍ３用い、木質チップの大きさは２５ミリ以下とした。木質チップに、寒天製造により発生した海藻残渣物を２５ｋｇ、下水汚泥を発酵した汚泥発酵肥料を５０ｋｇ、土着微生物ぼかし肥を１２．５ｋｇ、結合材４ｋｇを混合した。また、種子として、トールフェスク、クリーピングレッドフェスク、ケンタッキーブルーグラス、よもぎ、めどはぎ、やまはぎ、いたちはぎを、合計０．９４ｋｇ混合した。
【００２９】
比較例として配合２では、配合１に対して、海藻残渣物、汚泥発酵肥料及びぼかし肥を用いないものとし、すなわち、木質チップ１ｍ３と結合材４ｋｇと種子０．９４ｋｇとを混合した。
【００３０】
上記配合１，２の混合物を、図３に示すように、勾配１：０．６、土壌ｐＨ７．２７で粘土質の法面１１に吹付けて層状に形成し、法面１１を幅方向に区画した２つの区画Ｈ１，Ｈ２に、それぞれ配合１，配合２の混合物を吹付けた。したがって、区画Ｈ１には、本発明の植物育成基盤１２が設けられている。
【００３１】
この結果を下記の表１に示す。尚、試験は秋季に行った。
【００３２】
【表１】
2004254570.tif 000003
【００３３】
両区画Ｈ１，Ｈ２とも吹付けの５〜１０日後に発芽した。表１のように、２４日後には、区画Ｈ１の育成が良好であるのに対し、区画Ｈ２の成長に衰えが見られてきた。３８日後、区画Ｈ１に比べて区画Ｈ２は明らかに生育が遅延し、配合２では栄養素が不足しているためと思われる。４９日後、区画Ｈ１のイネ科植物の分げつ、密植が進み、この後、新たな発芽はほとんどなく、表１のように植物の背丈で大きな差が発生し、区画Ｈ２では分げつが進まず、法面表面が露出した状態となった。尚、図３では４９日後の状態を図示している。このように海藻残渣物と汚泥発酵肥料とぼかし肥とを木質チップに混合することにより緑化効果に優れた法面構造を得ることが判った。
【００３４】
このように本実施形態では、請求項１に対応して、緑化施工面たる法面１１に植物の育成に適した植物育成基盤１２を設ける緑化工法において、海藻から寒天成分を抽出した海藻残渣物を混合した植物育成基盤材１を形成し、この植物育成基盤材１を法面１１に層状に設けるから、寒天製造において、寒天成分が抽出され、廃棄処分となる海藻残渣物を緑化に利用することができ、しかも、前記海藻残渣物に含まれる栄養素が植物の育成を促し、また、海藻残渣物により植物育成基盤１２に保水性を与えることができる。
【００３５】
また、このように本実施形態では、請求項２に対応して、植物育成基盤材１に木質チップを混合したから、木質チップ自体は栄養価が低いから、海藻残渣物に含まれる栄養素を木質チップに補給することにより、木質チップの堆肥化が可能となり、緑化に適した植物育成基盤材１が得られる。
【００３６】
さらに、このように本実施形態では、請求項３に対応して、植物育成基盤材１に汚泥発酵肥料と有効微生物とを混合したから、海藻残渣物の栄養素と汚泥発酵肥料と有効微生物との組み合わせにより、生木あるいは生木に近い状態の木質チップであっても、該木質チップを多量に含む植物育成基盤材１を植物育成基盤１２とすることができ、施工が簡易にして緑化効果に優れたものが得られる。
【００３７】
このように本実施形態では、請求項４に対応して、緑化施工面たる法面１１に層状に設けて植物の育成に適した植物育成基盤１２を形成する植物育成基盤材１において、海藻から寒天成分を抽出した海藻残渣物を混合したから、寒天製造において、寒天成分が抽出され、廃棄処分となる海藻残渣物を植物育成基盤材１に利用することにより、植物育成基盤材１の材料費の削減を図り、しかも、海藻残渣物に含まれる栄養素が植物の育成を促すとともに、混合した海藻残渣物により保水性を備えた植物育成基盤材１が得られる。
【００３８】
また、実施形態上の効果として、植物資材が建設現場である法面造成現場で発生した伐採材であるから、建設現場で発生した伐採材を乾燥処理や堆肥化処理することなく、そのまま木質チップに加工して利用することができる。また、植物育成基盤材１を法面１１に吹き付けて層状に設けるから、吹き付けにより、法面１１に植物育成基盤１２を簡便に形成することができる。
【００３９】
図４は本発明の第２実施形態を示し、植物育成基盤材１Ａは、結合材を混合しない以外は第１実施形態の植物育成基盤材と同一構成である。また、緑化施工面３１は傾斜のない平地で、荒地や砂地などであり、施工においては、植物育成基盤材１Ａを緑化施工面３１に敷き均したり、吹き付けたりして植物育成基盤３２を形成する。そして、この例のように緑化施工面３１が平地の場合は、植物育成基盤材１Ａに必ずしも結合材を混合する必要はない。
【００４０】
このように本実施形態では、請求項１に対応して、緑化施工面３１に植物の育成に適した植物育成基盤３２を設ける緑化工法において、海藻から寒天成分を抽出した海藻残渣物を混合した植物育成基盤材１Ａを形成し、この植物育成基盤材１Ａを緑化施工面３１に層状に設けるから、寒天製造において、寒天成分が抽出され、廃棄処分となる海藻残渣物を緑化に利用することができ、しかも、前記海藻残渣物に含まれる栄養素が植物の育成を促し、また、海藻残渣物により植物育成基盤３２に保水性を与えることができる。
【００４１】
また、植物育成基盤材１Ａに木質チップと汚泥発酵肥料と有効微生物とを混合するから、請求項２及び３に対応して、上記第１実施形態と同様な作用効果を奏する。
【００４２】
このように本実施形態では、請求項４に対応して、緑化施工面３１に層状に設けて植物の育成に適した植物育成基盤３２を形成する植物育成基盤材１Ａにおいて、海藻から寒天成分を抽出した海藻残渣物を混合したから、寒天製造において、寒天成分が抽出され、廃棄処分となる海藻残渣物を植物育成基盤材１Ａに利用することにより、材料費の削減を図り、しかも、海藻残渣物に含まれる栄養素が植物の育成を促すとともに、混合した海藻残渣物により保水性を備えた植物育成基盤材１Ａが得られる。
【００４３】
図５は本発明の第３実施形態を示し、植物育成基盤材１Ｂは、現場発生土や客土などの土を主材４１とし、この主材４１に海藻残渣物と種子を混合し、緑化施工面３１に層状に設けて所定厚さの植物育成基盤３２を形成する。また、前記植物育成基盤材１Ｂには必要に応じて肥料を混合する。そして、緑化施工面３１は傾斜のない平地で、荒地や砂地などであり、施工においては、植物育成基盤材１Ｂを緑化施工面３１に敷き均したり、吹き付けたりして植物育成基盤３２を形成する。
【００４４】
このようにして植物育成基盤材１Ｂに混合した海藻残渣物は、従来は寒天の製造過程で発生する副産物であり、廃棄されており、このように寒天成分を抽出した後の海藻残渣物であっても、ミネラルなどの栄養素を多く含み、保水性、粘性を有するため、その栄養素により微生物の活動を活発化して緑化を促進し、その保水性により植物育成基盤３２の保水性を確保でき、その粘性により植物育成基盤３２の飛散流出を防止できる。
【００４５】
このように本実施形態では、請求項１に対応して、緑化施工面３１に植物の育成に適した植物育成基盤３２を設ける緑化工法において、海藻から寒天成分を抽出した海藻残渣物を混合した植物育成基盤材１Ｂを形成し、この植物育成基盤材１Ｂを緑化施工面３１に層状に設けるから、寒天製造において、寒天成分が抽出され、廃棄処分となる海藻残渣物を緑化に利用することができ、しかも、前記海藻残渣物に含まれる栄養素が植物の育成を促し、また、海藻残渣物により植物育成基盤３に保水性を与えることができる。
【００４６】
このように本実施形態では、請求項４に対応して、緑化施工面３１に層状に設けて植物の育成に適した植物育成基盤３２を形成する植物育成基盤材１Ｂにおいて、海藻から寒天成分を抽出した海藻残渣物を混合したから、寒天製造において、寒天成分が抽出され、廃棄処分となる海藻残渣物を植物育成基盤材１Ｂに利用することにより、材料費の削減を図り、しかも、海藻残渣物に含まれる栄養素が植物の育成を促すとともに、混合した海藻残渣物により保水性を備えた植物育成基盤材１Ｂが得られる。
【００４７】
尚、本発明は上記実施例に限定されるものではなく本発明の要旨の範囲内において種々の変形実施が可能である。例えば、寒天には実施形態に記載した紅藻類以外に各種の海藻を原料とすることができ、また、汚泥発酵肥料及び有効微生物も適宜選定可能である。
【００４８】
【発明の効果】
請求項１の緑化工法は、緑化施工面に植物の育成に適した植物育成基盤を設ける緑化工法において、海藻から寒天成分を抽出した海藻残渣物を混合した植物育成基盤材を形成し、この植物育成基盤材を前記緑化施工面に層状に設ける工法であり、食品副産物を有効利用して基盤材の原料コストの削減を図り、緑化効果に優れた緑化工法を提供することができる。
【００４９】
また、請求項２の緑化工法は、前記植物育成基盤材に木質チップを混合した工法であり、食品副産物を有効利用し、緑化効果に優れた緑化工法を提供することができる。
【００５０】
さらに、請求項３の緑化工法は、前記植物育成基盤材に汚泥発酵肥料と有効微生物とを混合した工法であり、食品副産物を有効利用し、緑化効果に優れた緑化工法を提供することができる。
【００５１】
請求項４の植物育成基盤材は、緑化施工面に層状に設けて植物の育成に適した植物育成基盤を形成する植物育成基盤材において、海藻から寒天成分を抽出した海藻残渣物を混合したものであり、食品副産物を有効利用し、緑化効果に優れた植物育成基盤材を提供することができる。
【図面の簡単な説明】
【図１】本発明の第１実施形態を示す施工手順を示すフローチャート図である。
【図２】同上、施工方法を説明する法面の断面図である。
【図３】同上、実験例を示す法面の一部を断面にした斜視図である。
【図４】本発明の第２実施形態を示す緑化施工面の断面図である。
【図５】本発明の第３実施形態を示す緑化施工面の断面図である。
【符号の説明】
１，１Ａ，１Ｂ  植物育成基盤材
１１  法面（緑化施工面）
１２  植物育成基盤
３１  緑化施工面
３２  植物育成基盤
【図１】
2004254570.tif 000004
【図２】
2004254570.tif 000005
【図３】
2004254570.tif 000006
【図４】
2004254570.tif 000007
【図５】
2004254570.tif 000008